(57)【要約】【課題】停電時に、ネットワークを介して接続された電気機器３〜１３における電源のオンあるいはオフを適切に制御することが可能な電気機器３〜１３の電源制御システム及び電源制御方法を提供すること。【解決手段】電源状態決定部３３は、停電発生検出部３１から送出された停電情報を受領し、記憶部３７から読み出した停電時電力供給情報に基づいて、停電時での各電気機器３〜１３における電源のオフを決定する。また、電源状態決定部３３は、停電発生検出部３１から送出された復電情報を受領し、記憶部３７から読み出した復電時電力供給情報に基づいて、停電時での各電気機器３〜１３における電源のオンを決定する。電源状態決定部３３にて決定された停電時あるいは復電時での各電気機器３〜１３における電源の状態を示す情報は、送受信部３５に送られて、電源のオンあるいはオフを制御するための制御信号として対応する電気機器３〜１３に送信される。【選択図】　図１
2004080919.tif 000002
【特許請求の範囲】
【請求項１】
ネットワークを介して接続された電気機器における電源のオンあるいはオフを制御する電気機器の電源制御システムであって、
前記電気機器の停電時における電力供給の必要性有無に関する停電時電力供給情報を記憶する記憶手段と、
停電が発生したことを検出する停電発生検出手段と、
停電発生検出手段が停電の発生を検出すると、前記記憶手段から前記停電時電力供給情報を読み出し、当該停電時電力供給情報に基づいて、停電時での前記電気機器における電源のオフを決定する電源状態決定手段と、
前記電源状態決定手段での決定結果に基づいて、前記電気機器における電源のオフを制御するための制御信号を前記ネットワークを介して前記電気機器に送信する送信手段と、を有することを特徴とする電気機器の電源制御システム。
【請求項２】
前記記憶手段は、前記電気機器の復電時における電力供給の必要性有無に関する復電時電力供給情報を更に記憶しており、
前記電源状態決定手段は、復電時に、前記記憶手段から前記復電時電力供給情報を読み出し、当該復電時電力供給情報に基づいて、復電時での前記電気機器における電源のオンを決定することを特徴とする請求項１に記載の電気機器の電源制御システム。
【請求項３】
前記記憶手段は、停電発生前の前記電気機器における電源のオンの状態を更に記憶しており、
前記電源状態決定手段は、復電時に、前記記憶手段に記憶されている前記停電発生前の前記電気機器における電源のオンの状態を読み出し、復電時の前記電気機器における電源のオンを決定することを特徴とする請求項１に記載の電気機器の電源制御システム。
【請求項４】
前記記憶手段において、前記停電時電力供給情報は、前記電気機器のＩＰアドレスと対応付けられて記憶されており、
前記送信手段は、前記ＩＰアドレスに基づいて、前記制御信号を対応する電気機器に送信することを特徴とする請求項１に記載の電気機器の電源制御システム。
【請求項５】
ネットワークを介して接続された電気機器における電源のオンあるいはオフを制御する電気機器の電源制御方法であって、
前記電気機器の停電時における電力供給の必要性有無に関する停電時電力供給情報を記憶する記憶手段と、停電が発生したことを検出する停電発生検出手段とを用い、
電源状態決定手段が、停電発生検出手段により停電の発生が検出されると、前記記憶手段から前記停電時電力供給情報を読み出し、当該停電時電力供給情報に基づいて、停電時での前記電気機器における電源のオフを決定し、
送信手段が、前記電源状態決定手段での決定結果に基づいて、前記電気機器における電源のオフを制御するための制御信号を前記ネットワークを介して前記電気機器に送信することを特徴とする電気機器の電源制御方法。
【発明の詳細な説明】
【０００１】
【発明の属する技術分野】
本発明は、電気機器、特にネットワークを介して接続された電気機器の電源制御システム及び電源制御方法に関する。
【０００２】
【従来の技術】
従来から、電気エネルギーを蓄積する無停電電源装置（以下、ＵＰＳと称する）が広く知られている。このＵＰＳは、通電時に入力電圧（例えば１００Ｖ商用交流電圧）を降圧してバッテリを充電しておき、停電時に当該バッテリに充電された充電電圧を上記入力電圧に昇圧して出力する電源装置であり、電源の供給を停止することができない機器に接続して用いられる。
【０００３】
【発明が解決しようとする課題】
しかしながら、ＵＰＳでは、一般にバッテリとして鉛蓄電池を用いており、停電後に電力を供給し続けることが可能な時間は数分程度に限られる。このため、ＵＰＳに対して複数の電気機器（例えば、コンピュータ、家庭電化製品等）が接続される場合、これらの電気機器全てについて停電発生前の動作状態（電源のオンあるいはオフの状態）としておくと、ＵＰＳに蓄積されている電気エネルギーが瞬時に消費されてしまう惧れがある。
【０００４】
本発明は上述の点に鑑みてなされたもので、停電時に、ネットワークを介して接続された電気機器における電源のオフを適切に制御することが可能な電気機器の電源制御システム及び電源制御方法を提供することを目的とする。
【０００５】
【課題を解決するための手段】
本発明に係る電気機器の電源制御システムは、ネットワークを介して接続された電気機器における電源のオンあるいはオフを制御する電気機器の電源制御システムであって、電気機器の停電時における電力供給の必要性有無に関する停電時電力供給情報を記憶する記憶手段と、停電が発生したことを検出する停電発生検出手段と、停電発生検出手段が停電の発生を検出すると、記憶手段から停電時電力供給情報を読み出し、当該停電時電力供給情報に基づいて、停電時での電気機器における電源のオフを決定する電源状態決定手段と、電源状態決定手段での決定結果に基づいて、電気機器における電源のオフを制御するための制御信号をネットワークを介して電気機器に送信する送信手段と、を有することを特徴としている。
【０００６】
一方、本発明に係る電気機器の電源制御方法は、ネットワークを介して接続された電気機器における電源のオンあるいはオフを制御する電気機器の電源制御方法であって、電気機器の停電時における電力供給の必要性有無に関する停電時電力供給情報を記憶する記憶手段と、停電が発生したことを検出する停電発生検出手段とを用い、電源状態決定手段が、停電発生検出手段により停電の発生が検出されると、記憶手段から停電時電力供給情報を読み出し、当該停電時電力供給情報に基づいて、停電時での電気機器における電源のオフを決定し、送信手段が、電源状態決定手段での決定結果に基づいて、電気機器における電源のオフを制御するための制御信号をネットワークを介して電気機器に送信することを特徴としている。
【０００７】
これら、本発明に係る電気機器の電源制御システム及び電気機器の電源制御方法それぞれによれば、記憶手段において、電気機器の停電時における電力供給の必要性有無に関する停電時電力供給情報が記憶される。また、停電発生検出手段において、停電の発生が検出される。そして、電源状態決定手段により、停電発生検出手段において停電の発生が検出されると、記憶手段に記憶されている停電時電力供給情報が読み出され、当該停電時電力供給情報に基づいて、停電時での電気機器における電源のオフが決定される。続いて、送信手段により、電源状態決定手段における決定結果に基づいて、電気機器における電源のオフを制御するための制御信号がネットワークを介して電気機器に送信される。電気機器は、送信手段から送信された上記制御信号に基づいて、電源のオフの状態を制御することとなる。これにより、停電時に、ネットワークを介して接続された電気機器における電源のオフを適切に制御することができる。
【０００８】
また、記憶手段は、電気機器の復電時における電力供給の必要性有無に関する復電時電力供給情報を更に記憶しており、電源状態決定手段は、復電時に、記憶手段から復電時電力供給情報を読み出し、当該復電時電力供給情報に基づいて、復電時での電気機器における電源のオンを決定することが好ましい。このように構成した場合、電源状態決定手段により、復電時に、記憶手段に記憶されている復電時電力供給情報が読み出され、復電時の電気機器における電源のオンが決定される。これにより、復電の際に、電気機器における電源のオンを適切に制御することができる。
【０００９】
また、記憶手段は、停電発生前の電気機器における電源のオンの状態を更に記憶しており、電源状態決定手段は、復電時に、記憶手段に記憶されている停電発生前の電気機器における電源のオンの状態を読み出し、復電時の電気機器における電源のオンを決定することが好ましい。このように構成した場合、電源状態決定手段により、復電時に、記憶手段に記憶されている停電発生前の電気機器における電源のオンの状態が読み出され、復電時の電気機器における電源のオンが決定される。これにより、復電の際に、電気機器における電源のオンを適切に制御することができる。
【００１０】
また、記憶手段において、停電時電力供給情報は、電気機器のＩＰアドレスと対応付けられて記憶されており、送信手段は、ＩＰアドレスに基づいて、制御信号を対応する電気機器に送信することが好ましい。このように構成した場合、各電気機器に対して制御信号を確実かつ適切に送信することができる。
【００１１】
【発明の実施の形態】
本発明の実施形態に係る電気機器の電源制御システム及び電源制御方法について図面を参照して説明する。なお、説明において、同一要素又は同一機能を有する要素には、同一符号を用いることとし、重複する説明は省略する。
【００１２】
まず、図１に示すブロック図を参照しながら、本実施形態に係る電気機器の電源制御システムの構成について説明する。この電気機器の電源制御システムは、ネットワーク回線Ｎ１に接続可能な電源制御装置１を含んでいる。ネットワーク回線Ｎ１は、有線あるいは無線のＬＡＮ回線等を用いることができる。ネットワーク回線Ｎ１には、複数の電気機器（本実施形態においては、パソコン３、テレビ５、エアコン７、冷蔵庫９、照明装置１１、ステレオ１３等が含まれている）が接続されている。
【００１３】
それぞれの電気機器３〜１３は、ネットワーク回線Ｎ１を介して送られてきた情報に基づいて様々な処理を実行し、利用者等による遠隔操作が可能である、いわゆるネット家電である。例えば、ネットワーク回線Ｎ１を介して電源のオンあるいはオフを制御するための制御信号を受信することで、対応する電気機器３〜１３の電源のオンあるいはオフの状態を制御することができる。
【００１４】
また、それぞれの電気機器３〜１３は、現在における電源のオンあるいはオフの状態を示す稼動状況情報、停電時における電源の状態（停電前の電源の状態に維持する、あるいは、電源をオフする）を示す停電時電力供給情報、復電時における電源の状態（停電前の電源の状態に維持する、あるいは、電源をオフする）を示す復電時電力供給情報等をネットワーク回線Ｎ１を介して送信するように構成されている。
【００１５】
それぞれの電気機器３〜１３は、図１に示されるように、ＵＰＳ１５を介して商用電源１７に接続されている。これにより、それぞれの電気機器３〜１３に対して、通常時には、商用電源１７から交流電力が供給されることとなり、停電時には、ＵＰＳ１５から交流電力が供給されることとなる。
【００１６】
電源制御装置１は、図２に示されるように、デジタル回線終端装置（Ｄｉｇｉｔａｌ　Ｓｅｒｖｉｃｅ　Ｕｎｉｔ：ＤＳＵ）２１等を介してネットワーク回線Ｎ１に接続されており、予め設定された制御プログラムに従って各種演算処理を実行するＣＰＵ２２、制御プログラムや制御データ等を予め格納するＲＯＭ２３、各種演算処理を実行するのに必要な各種データが一時的に読み書きされるＲＡＭ２４等を有している。制御プログラムには、ネットワーク回線Ｎ１に接続された電気機器３〜１３における電源のオンあるいはオフを制御するための制御プログラム等が含まれている。また、電源制御装置１は、電源制御装置１の作動状態等を示すための表示部２５（例えば、ディスプレイ等）や使用者が電源制御装置１の操作を行うための操作部２６（例えば、マウスやキーボード等）を含んでいる。なお、電源制御装置１に対して、通常時には、商用電源１７から交流電力が供給されることとなり、停電時には、ＵＰＳ１５から交流電力が供給されることとなる。
【００１７】
電源制御装置１は、ＣＰＵ２２において上記制御プログラムを実行することにより、機能的な構成要素として、図１に示されるように、停電発生検出部３１（停電発生検出手段）と、電源状態決定部３３（電源状態決定手段）と、送受信部３５（送信手段）とを備えて構成される。また、電源制御装置１においては、ＲＯＭ２３及びＲＡＭ２４等により、機能的な構成要素として記憶部３７（記憶手段）を備えることとなる。
【００１８】
停電発生検出部３１は、商用電源１７から供給される交流電力に基づいて、停電が発生したことを検出する。本実施形態では、停電発生検出部３１は、ＵＰＳ１５の停電検出回路１５ａにて停電が検出されたことを当該ＵＰＳ１５（停電検出回路１５ａ）から送信された信号により、検出している。なお、停電発生検出部３１における停電の検出は、商用電源１７から供給される交流電力を直接測定することにより行うようにしてもよい。停電発生検出部３１は、停電の発生を検出すると、停電が発生した旨を示す停電情報を送出する。また、停電発生検出部３１は、ＵＰＳ１５における復電検出に基づいて、復電を検出し、復電した旨を示す復電情報を送出する。
【００１９】
送受信部３５は、ネットワーク回線Ｎ１に接続可能であり、ネットワーク回線Ｎ１を介して送信される上記稼動状況情報、停電時電力供給情報及び復電時電力供給情報を受信する。送受信部３５は、稼動状況情報、停電時電力供給情報及び復電時電力供給情報を受信すると、当該稼動状況情報、停電時電力供給情報及び復電時電力供給情報を送出する。
【００２０】
記憶部３７は、送受信部３５から送出された稼動状況情報、停電時電力供給情報及び復電時電力供給情報を受領し、記憶する。記憶部３７は、稼動状況情報、停電時電力供給情報及び復電時電力供給情報を記憶可能に構成されており、電源状態データベースを含んでいる。この電源状態データベースは、図３に示されるように、各電気機器３〜１３毎に、ＩＰアドレス、稼動状況情報、停電時電力供給情報及び復電時電力供給情報が記憶可能に構成されている。
【００２１】
電源状態データベースには、例えば、「接続電気機器３〜１３」に「エアコン」が記憶され、「ＩＰアドレス」に「ＸＸＸＸ…Ｘ３」が記憶され、「稼動状況情報」に「電源オン」が記憶されている。そして、「停電時電力供給情報」に「電源オフ」が記憶され、「復電時電力供給情報」に「電源オン」が記憶されている。このように、電源状態データベースにおいては、稼動状況情報、停電時電力供給情報及び復電時電力供給情報は、各電気機器３〜１３のＩＰアドレスと対応付けられて記憶されている。なお、図３において、「稼動状態維持」とは、停電前における電源のオンあるいはオフの状態を維持することを示している。
【００２２】
電源状態決定部３３は、停電発生検出部３１から送出された停電情報を受領し、記憶部３７から停電時電力供給情報を読み出し、当該停電時電力供給情報に基づいて、停電時での各電気機器３〜１３における電源のオフを決定する。また、電源状態決定部３３は、停電発生検出部３１から送出された復電情報を受領し、記憶部３７から復電時電力供給情報を読み出し、当該復電時電力供給情報に基づいて、復電時での各電気機器３〜１３における電源のオンを決定する。
【００２３】
電源状態決定部３３にて決定された停電時あるいは復電時での各電気機器３〜１３における電源のオンあるいはオフの状態を示す情報は、対応するＩＰアドレスと共に送受信部３５に送られて、各電気機器３〜１３における電源のオンあるいはオフを制御するための制御信号として当該送受信部３５から対応する電気機器３〜１３に送信される。このとき、送受信部３５は、電源状態決定部３３から送られたＩＰアドレスに基づいて、制御信号を対応する電気機器３〜１３に送信する。各電気機器３〜１３は、送信された制御信号に基づいて、その電源のオンあるいはオフの状態を制御する。
【００２４】
続いて、図４を参照して、電源制御装置の動作（電気機器の電源制御方法）について説明する。図４は、電源制御装置の動作を説明するためのフローチャートである。
【００２５】
まず、電源制御装置１は、送受信部３５にて受信した情報に基づいて、電気機器３〜１３がネットワーク回線Ｎ１に新規に接続されたか否かを判定する（Ｓ１０１）。新規にネットワーク回線Ｎ１に接続された電気機器３〜１３がある場合、電源制御装置１は、上述したように接続された電気機器３〜１３から停電時電力供給情報及び復電時電力供給情報を取得する（Ｓ１０３）。取得した停電時電力供給情報及び復電時電力供給情報は、電気機器３〜１３のＩＰアドレスと対応付けて記憶部３７に格納、記憶する（Ｓ１０５）。
【００２６】
続いて、電源制御装置１は、上述したようにネットワーク回線Ｎ１に接続された電気機器３〜１３から稼動状況情報を取得する（Ｓ１０７）。取得した稼動状況情報は、停電時電力供給情報及び復電時電力供給情報と同じく、電気機器３〜１３のＩＰアドレスと対応付けて記憶部３７に格納、記憶する（Ｓ１０９）。
【００２７】
そして、電源制御装置１は、停電発生検出部３１において、停電の発生を検出したか否かを判定し（Ｓ１１１）、停電が発生した場合、電源状態決定部３３において、記憶部３７に記憶されている稼動状況情報、停電時電力供給情報及び復電時電力供給情報を読み出す（Ｓ１１３）。電源状態決定部３３は、読み出した稼動状況情報に基づいて、現在稼動中、すなわち電源がオンの状態の電気機器３〜１３が存在するか否かを判定し（Ｓ１１５）、現在稼動中の電気機器３〜１３が存在しない場合、処理を終了する。
【００２８】
一方、現在稼動中の電気機器３〜１３が存在する場合、電源状態決定部３３は、読み出した停電時電力供給情報に基づいて、稼動中の電気機器３〜１３毎に、停電時に電源をオフの状態とするか否かを判定する（Ｓ１１７）。なお、稼動中の電気機器３〜１３に対しては、上述したように、ＵＰＳ１５から交流電力が供給される。
【００２９】
電源をオフの状態とする電気機器３〜１３に対して、電源制御装置１は、送受信部３５において、当該電気機器３〜１３における電源のオフを制御するための制御信号をネットワーク回線Ｎ１を介して送信する（Ｓ１１９）。これにより、電源のオフを制御するための制御信号が送信された電気機器３〜１３は、電源をオフすることとなる。なお、電源をオフせず、オンの状態を維持する電気機器３〜１３に対しては、電源制御装置１は、上記制御信号を送信することはなく、当該電気機器３〜１３は電源がオンの状態が維持されることとなる。また、停電前の電源の状態がオフである電気機器３〜１３は、電源のオフの状態が維持されることとなる。
【００３０】
その後、電源制御装置１は、電源状態決定部３３において、読み出した復電時電力供給情報に基づいて、停電時に電源をオフの状態とした電気機器３〜１３の中に、復電時に稼動させる必要があり、電源をオンの状態とする電気機器３〜１３が存在するか否かを判定し（Ｓ１２１）、電源をオンの状態とする電気機器３〜１３が存在しない場合、処理を終了する。
【００３１】
そして、電源制御装置１は、停電発生検出部３１において、復電を検出したか否かを判定する（Ｓ１２３）。なお、復電した場合、稼動中の電気機器３〜１３に対しては、商用電源１７から交流電力が供給される。
【００３２】
復電を検出した場合、電源制御装置１は、電源状態決定部３３において、読み出した復電時電力供給情報に基づいて、停電時に電源をオフの状態とした電気機器３〜１３の中に、復電時に稼動させる必要があり、電源をオンの状態とする電気機器３〜１３が存在するか否かを判定する（Ｓ１２５）。復電時に電源をオンの状態とする電気機器３〜１３が存在しない場合、処理を終了する。
【００３３】
一方、復電時に電源をオンの状態とする電気機器３〜１３が存在する場合、電源制御装置１は、送受信部３５において、当該電気機器３〜１３における電源のオンを制御するための制御信号をネットワーク回線Ｎ１を介して送信する（Ｓ１２７）。これにより、電源のオンを制御するための制御信号が送信された電気機器３〜１３は、電源をオンすることとなる。なお、復電時もオンの状態を維持する電気機器３〜１３に対しては、電源制御装置１は、上記制御信号を送信することはなく、当該電気機器３〜１３は電源がオンの状態が維持されることとなる。また、停電時における電源の状態がオフであり、復電時における電源をオフの状態とする電気機器３〜１３に対しても、上記制御信号を送信することはなく、電源のオフの状態が維持されることとなる。
【００３４】
たとえば、パソコン、冷蔵庫及び照明装置においては、図３に示されるように、「停電時電力供給情報」及び「復電時電力供給情報」に「稼動状態維持」が記憶されているので、停電時及び復電時においても停電前における電源のオンあるいはオフの状態が維持され、電源のオンの状態が維持されることとなる。また、テレビ及びステレオにおいては、図３に示されるように、「停電時電力供給情報」及び「復電時電力供給情報」に「電源オフ」が記憶されているので、停電時及び復電時においても電源がオフの状態とされる。なお、ステレオについては、停電前においても電源がオフの状態であるので、オフの状態が維持されることとなる。また、エアコンにおいては、図３に示されるように、「停電時電力供給情報」に「電源オフ」が記憶され「復電時電力供給情報」に「電源オン」が記憶されているので、停電時には電源がオフの状態とされ、復電時には電源がオンの状態とされて、停電前の稼動状態に復帰する。
【００３５】
以上のように、本実施形態の電源制御システム（電源制御装置１）では、記憶部３７において、電気機器３〜１３の停電時における電力供給の必要性有無に関する停電時電力供給情報が記憶される。また、停電発生検出部３１において、停電の発生が検出される。そして、電源状態決定部３３により、停電発生検出部３１において停電の発生が検出されると、記憶部３７に記憶されている停電時電力供給情報が読み出され、当該停電時電力供給情報に基づいて、停電時での電気機器３〜１３における電源のオフが決定される。続いて、送受信部３５により、電源状態決定部３３における決定結果に基づいて、電気機器３〜１３における電源のオフを制御するための制御信号がネットワークを介して電気機器３〜１３に送信される。電気機器３〜１３は、送受信部３５から送信された上記制御信号に基づいて、電源のオフの状態を制御することとなる。これにより、停電時に、ネットワークを介して接続された電気機器３〜１３における電源のオフを適切に制御することができる。
【００３６】
また、本実施形態の電源制御システム（電源制御装置１）において、記憶部３７は、電気機器３〜１３の復電時における電力供給の必要性有無に関する復電時電力供給情報を更に記憶しており、電源状態決定部３３は、復電時に、記憶部３７から復電時電力供給情報を読み出し、当該復電時電力供給情報に基づいて、復電時での電気機器３〜１３における電源のオンを決定している。これにより、復電の際に、電気機器３〜１３における電源のオンを適切に制御することができる。
【００３７】
また、本実施形態の電源制御システム（電源制御装置１）では、記憶部３７において、停電時電力供給情報は、電気機器３〜１３のＩＰアドレスと対応付けられて記憶されており、送受信部３５は、上記ＩＰアドレスに基づいて、制御信号を対応する電気機器３〜１３に送信している。これにより、各電気機器３〜１３に対して制御信号を確実かつ適切に送信することができる。
【００３８】
本発明は、前述した実施形態に限定されるものではない。例えば、本実施形態においては、電源制御装置１とＵＰＳ１５とを別構成としているが、上述した電源制御装置１の機能をＵＰＳ１５に持たせ、電源制御装置１とＵＰＳ１５とを一体構成としてもよい。また、図５に示されるように、インターネット網等のネットワーク回線Ｎ２を更に介して、それぞれの電気機器３〜１３の電源の状態を制御する制御装置４１が接続されている場合、当該制御装置４１に電源状態決定部３３での決定結果をネットワーク回線Ｎ２を介して送信し、制御装置４１から電気機器３〜１３における電源のオフあるいはオンを制御するための制御信号を送信するようにしてもよい。
【００３９】
また、本実施形態において、電源状態決定部３３は、復電時に、記憶部３７から復電時電力供給情報を読み出し、当該復電時電力供給情報に基づいて、復電時での電気機器３〜１３における電源のオンを決定しているが、これに限られることなく、記憶部３７に記憶されている停電発生前の電気機器３〜１３における電源のオンの状態を読み出し、復電時の電気機器３〜１３における電源のオンを決定するようにしてもよい。この場合、電源状態決定部３３により、復電時に、記憶部３７に記憶されている停電発生前の電気機器３〜１３における電源のオンの状態が読み出され、復電時の電気機器３〜１３における電源のオンが決定されることとなり、復電の際に、電気機器３〜１３における電源のオンを適切に制御することができる。
【００４０】
また、本実施形態においては、ネットワーク回線Ｎ１に接続された電気機器３〜１３から停電時電力供給情報及び復電時電力供給情報を取得し、記憶部３７に記憶するようにしているが、これに限られることなく、利用者等が電源制御装置１の操作部２６により停電時電力供給情報及び復電時電力供給情報を入力することで、記憶部３７に記憶するようにしてもよい。
【００４１】
【発明の効果】
以上、詳細に説明したように、本発明によれば、停電時に、ネットワークを介して接続された電気機器における電源のオンあるいはオフを適切に制御することが可能な電気機器の電源制御システム及び電源制御方法を提供することができる。
【図面の簡単な説明】
【図１】本実施形態に係る電源制御システムの構成を説明するためのブロック図である。
【図２】電源制御装置の構成を示すブロック図である。
【図３】電源制御装置の記憶部に含まれる電源状態データベースの構成の一例を示す図表である。
【図４】電源制御装置の動作（電気機器の電源制御方法）を示すフローチャートである。
【図５】本実施形態に係る電源制御システムの変形例の構成を説明するためのブロック図である。
【符号の説明】
１…電源制御装置、３〜１３…電気機器、１５…ＵＰＳ、１７…商用電源、３１…停電発生検出部、３３…電源状態決定部、３５…送受信部、３７…記憶部、Ｎ１，Ｎ２…ネットワーク回線。
【図１】
2004080919.tif 000003
【図２】
2004080919.tif 000004
【図３】
2004080919.tif 000005
【図４】
2004080919.tif 000006
【図５】
2004080919.tif 000007